(57)【要約】　　　（修正有）【課題】内部に犬や猫等のペットを収容して、車両の座席に固定する場合に適した大きさ又は持ち運びに適した大きさのいずれにも変更が可能なペット用ケースを提供すること。【解決手段】ペット用ケースは、箱体２は、少なくとも底面２ａ、側面２ｂ、２ｃ、２ｄ、側面２ｅとを有する。底面２ａは略シート状でなり、側面２ｂは、底面２ａと交差する方向に二つ折にする二つ折面２ｂ１と、二つ折面２ｂ１に隣接して設けられて側面２ｂを底面２ａに交差する方向に四つ折にする四つ折面２ｂ２、２ｂ３とからなり、側面２ｃもこれと同様の構成でなる。側面２ｅの外側には、シートベルト挿通部２５が設けられている。【選択図】　　　　図３
0003098035.tif 000002
【実用新案登録請求の範囲】
【請求項１】
少なくとも底面及び側面を有する箱体で構成され、
前記側面のうち、少なくとも対向する１組の側面には、前記底面と交差する方向に折目部が形成された折面を有し、前記折面の折り曲げ若しくは展開により前記箱体の大きさを変更可能な構成としたこと
を特徴とするペット用ケース。
【請求項２】
前記箱体は、前記箱体の内側に装着が可能な中敷を備えたことを特徴とする請求項１に記載のペット用ケース。
【請求項３】
前記底面は、略シート状であることを特徴とする請求項１又は請求項２に記載のペット用ケース。
【請求項４】
前記箱体は、ペット用ケースを所定の場所に固定可能な固定手段を有することを特徴とする請求項１乃至請求項３のうち、いずれか１に記載のペット用ケース。
【請求項５】
前記対向する１組の側面以外の対向する側面のうち１つの側面を固定側面とし、該固定側面と対向する側面を収縮側面とした場合に、前記固定側面側に前記固定手段を設けたことを特徴とする請求項１乃至請求項４のうち、いずれか１に記載のペット用ケース。
【請求項６】
前記対向する１組の側面には、底面と交差する方向に複数の折目部が形成されて折り曲げ可能な複数の折面を有することを特徴とする請求項１乃至請求項５のうち、いずれか１に記載のペット用ケース。
【請求項７】
前記折面は、前記対向する１組の側面を底面と交差する方向に二つ折りにする二つ折面と、該二つ折面に隣接して設けられて前記対向する１組の側面を底面と交差する方向に四つ折りにする四つ折面とで構成されることを特徴とする請求項１乃至請求項６のうち、いずれか１に記載のペット用ケース。
【請求項８】
前記箱体は、前記折面の折り曲げ時に折面の折り曲げ状態を保持可能な保持部材を備えたことを特徴とする請求項１乃至請求項７のうち、いずれか１に記載のペット用ケース。
【請求項９】
前記保持部材は、前記対向する１組の側面以外の対向する側面のうち１つの側面を固定側面とし、該固定側面と対向する側面を収縮側面とした場合に、前記折面に設けられた第１の連結部材と、収縮側面側に設けられて第１の連結部材と連結可能な第２の連結部材からなることを特徴とする請求項１乃至請求項８のうち、いずれか１に記載のペット用ケース。
【請求項１０】
前記中敷は、略面状で折曲部を有し、前記箱体の大きさに併せて折曲げが可能な構成としたことを特徴とする請求項１乃至請求項９のうち、いずれか１に記載のペット用ケース。
【請求項１１】
前記中敷は係合部材を備え、前記係合部材は中敷に補助シートを係合可能な構成としたことを特徴とする請求項１乃至請求項１０のうち、いずれか１に記載のペット用ケース。
【請求項１２】
前記係合部材は、第１の係合部と、該第１の係合部と係合可能な第２の係合部とからなり、前記第１の係合部及び第２の係合部は、前記中敷に補助シートを係合可能な構成としたことを特徴とする請求項１乃至請求項１１のうち、いずれか１に記載のペット用ケース。
【請求項１３】
前記箱体は、該箱体の内部を覆う天面を有し、前記天面の周縁部には、前記箱体と着脱可能な着脱部材を有することを特徴とする請求項１乃至請求項１２のうち、いずれか１に記載のペット用ケース。
【請求項１４】
前記天面は、前記対向する１組の側面以外の対向する側面のうち１つの側面を固定側面とし、該固定側面と対向する側面を収縮側面とした場合に、収縮側面側と結合していることを特徴とする請求項１乃至請求項１３のうち、いずれか１に記載のペット用ケース。
【考案の詳細な説明】
【０００１】
【考案の属する技術分野】
本考案は、内部に犬や猫等のペットを収容して、車両の座席に固定する場合に適した大きさ又は持ち運びに適した大きさのいずれにも変更が可能なペット用ケースに関する。
【０００２】
【従来の技術】
従来、犬や猫等のペットを自動車などの車両に乗せる場合には、車内に汚損防止用のペット用ケースを設置してこの中にペットを収容することが行われており、このようなペット用ケースとしては、特開２００２−１５９２３９号公報（特願２０００−３６１７１０号）に掲載されているペット用車載ケースのようなものがある（特許文献１参照）。特開２００２−１５９２３９号公報の図６、図７及び図１０に示すように、ペット用車載ケース１は、内部にペットを収容可能で展開及び組立てが可能な箱体２と、箱体２を車両の座席５０に固定可能な固定部材３（又は２３、３３）を有している。
【０００３】
前記ペット用車載ケース１を車両の座席５０に取り付ける場合は、特開２００２−１５９２３９号公報の図６に示すように、底面と側面によりペットの収容空間を形成するように箱体２を組立て、同図７に示すように、箱体２を座席５０に載置して固定部材３（又は２３、３３）により座席に固定する。
【０００４】
また、ペットを汚損防止用のペット用ケースに収容したまま車外に持ち運ぶこともしばしば行われており、このようなペット用ケースとしては、特開平９−１０３２１３号公報（特願平７−３００４０２号）に掲載されているペットパックのようなものもある（特許文献２参照）。特開平９−１０３２１３号公報の図１、図４及び図５に示すように、ペットパックは、ペットを収容する袋１と、袋１を人の首に係止するベルト２と、袋１を人の胴に固定するベルト３と、袋１の背面に設けられて車両のシートベルトを挿通可能な縫いつけ部分５とを有している。
【０００５】
前記ペットパックを車両の座席に取り付ける場合は、特開平９−１０３２１３号公報の図５に示すように、袋１を車両の座席に載置して、袋１の背面に設けられた縫いつけ部分５にシートベルトを挿通して袋１を座席に固定する。
【０００６】
前記ペットパックを、袋１にペットを収容したまま持ち運ぶ場合は、特開平９−１０３２１３号公報の図４に示すように、ベルト２を人の首に係止し、ベルト３を人の胴に固定する。
【０００７】
【特許文献１】
特開２００２−１５９２３９号公報（図６、図７、図１０）
【特許文献２】
特開平９−１０３２１３号公報（図１、図４、図５）
【０００８】
【考案が解決しようとする課題】
しかして、ペット用ケースは、収納の便宜のため展開及び折り畳みが自在であり、車両の座席に載置する場合は安定する構造で構成し、持ち運びをする場合は持ち運びの便宜上コンパクトな大きさであることが望ましい。
【０００９】
しかしながら、前記ペット用車載ケース１（特許文献１参照）は、箱体２の大きさを変更することはできず、箱体２の内部にペットを収容したままペット用車載ケース１を車外に持ち運びをするには大きすぎるため、持ち運びをする場合には不便である。
【００１０】
また、前記ペットパック（特許文献２参照）は、ペットの収容部が袋１であるため、車両の座席に載置した場合、袋１が前後左右に揺動しやすく固定状態が不安定であり、ペットにストレスを与えてしまう。
【００１１】
そこで、本考案は、上記のような課題を解決するためになされたものであって、側面の一部を折り曲げ又は展開することにより、持ち運び用又は車載用のいずれの用途にも応じた大きさに変更することが可能なペット用ケースを提供することを目的とするものである。
【００１２】
【課題を解決するための手段】
そこで、本考案のペット用ケースは、少なくとも底面及び側面を有する箱体で構成され、前記側面のうち、少なくとも対向する１組の側面には、前記底面と交差する方向に折目部が形成された折面を有し、前記折面の折り曲げ若しくは展開により前記箱体の大きさを変更可能な構成とした。また、前記箱体は、前記箱体の内側に装着が可能な中敷を備えた。また、前記底面は、略シート状である。また、前記箱体は、ペット用ケースを所定の場所に固定可能な固定手段を有する。また、前記対向する１組の側面以外の対向する側面のうち１つの側面を固定側面とし、該固定側面と対向する側面を収縮側面とした場合に、前記固定側面側に前記固定手段を設けた。また、前記対向する１組の側面には、底面と交差する方向に複数の折目部が形成されて折り曲げ可能な複数の折面を有する。また、前記折面は、前記対向する１組の側面を底面と交差する方向に二つ折りにする二つ折面と、該二つ折面に隣接して設けられて前記対向する１組の側面を底面と交差する方向に四つ折りにする四つ折面とで構成される。また、前記箱体は、前記折面の折り曲げ時に折面の折り曲げ状態を保持可能な保持部材を備えた。また、前記保持部材は、前記対向する１組の側面以外の対向する側面のうち１つの側面を固定側面とし、該固定側面と対向する側面を収縮側面とした場合に、前記折面に設けられた第１の連結部材と、収縮側面側に設けられて第１の連結部材と連結可能な第２の連結部材からなる。また、前記中敷は、略面状で折曲部を有し、前記箱体の大きさに併せて折曲げが可能な構成とした。また、前記中敷は係合部材を備え、前記係合部材は中敷に補助シートを係合可能な構成とした。また、前記係合部材は、第１の係合部と、該第１の係合部と係合可能な第２の係合部とからなり、前記第１の係合部及び第２の係合部は、前記中敷に補助シートを係合可能な構成とした。また、前記箱体は、該箱体の内部を覆う天面を有し、前記天面の周縁部には、前記箱体と着脱可能な着脱部材を有する。また、前記天面は、前記対向する１組の側面以外の対向する側面のうち１つの側面を固定側面とし、該固定側面と対向する側面を収縮側面とした場合に、収縮側面側と結合している。
【００１３】
【考案の実施の形態】
以下、本考案によるペット用ケースの実施の形態について、図１乃至図３を参照して説明する。図１（ａ）は、本考案によるペット用ケースの側面の総ての折面を展開して箱体の大きさを大きくしたペット用ケースと中敷の組み合せ状態を示す斜視図、（ｂ）は、本考案によるペット用ケースの右側面のＡ−Ａ断面図、図２（ａ）は、本考案によるペット用ケースに装着される中敷の折曲げ状態を示す斜視図、（ｂ）は、中敷に補助シートを固定する状態を示す斜視図、図３は、本考案によるペット用ケースを車両の座席に固定した状態を示す斜視図及び座席の背部側からみた背面斜視図、図４（ａ）は、本考案によるペット用ケース側面の四つ折面を折り曲げ又は展開してペット用ケースの大きさを変更する操作手順を示す斜視図、（ｂ）は、第１の連結部材と第２の連結部材の連結状態を示す斜視図である。
【００１４】
図１（ａ）に示すように、ペット用ケース１は、上面が開口した箱状に形成されて犬や猫等のペットを収容する箱体２と、箱体２内に装着可能な中敷４とからなる。以下、まず箱体２の詳細について説明する。
【００１５】
図１（ａ）及び図３に示すように、箱体２は、全体が直方体形状で構成され、底面２ａ、側面２ｂ（右側面）、側面２ｃ（左側面）、側面２ｄ（前側面）、側面２ｅ（後側面）とを有する。
【００１６】
底面２ａは、略シート状であり、折り畳みが自在に構成されている。
【００１７】
図１（ａ）及び図３に示すように、側面２ｂ（右側面）は、底面２ａと交差する方向に二つ折にする二つ折面２ｂ１と、二つ折面２ｂ１に隣接して設けられて側面２ｂ（右側面）を底面２ａに交差する方向に四つ折にする四つ折面２ｂ２、２ｂ３とからなる。
【００１８】
図１（ａ）に示すように、側面２ｂ（右側面）の二つ折面２ｂ１は側面２ｅ（後側面）及び四つ折面２ｂ２に隣接して設けられ、また四つ折面２ｂ２は二つ折面２ｂ１及び四つ折面２ｂ３に隣接して設けられ、さらに四つ折面２ｂ３は四つ折り面２ｂ２及び側面２ｄ（前側面）に隣接して設けられており、二つ折面２ｂ１及び四つ折面２ｂ２との隣接部には折目部２ｂ４が形成され、四つ折面２ｂ２及び四つ折面２ｂ３との隣接部には折目部２ｂ５が形成されている。なお、本実施の形態では、二つ折面２ｂ１、四つ折面２ｂ２、四つ折面２ｂ３の順序で隣接して設けられているが、四つ折面２ｂ２、二つ折面２ｂ１、四つ折面２ｂ３の順序で構成してもよく、これらに限るものではない。
【００１９】
図１（ａ）に示すように、側面２ｂ（右側面）に対向して設けられる側面２ｃ（左側面）は、側面２ｂ（右側面）と同様に、二つ折面２ｃ１、四つ折面２ｃ２、２ｃ３からなる。なお、本実施の形態では、側面２ｃ（左側面）の二つ折面２ｃ１、四つ折面２ｃ２、２ｃ３は、側面２ｂ（右側面）の二つ折面２ｃ１、四つ折面２ｃ２、２ｃ３と各々対向して設けられているが、各々が対向していない構成としてもよい。
【００２０】
側面２ｂ（右側面）の折目部２ｂ４を山折り、折目部２ｂ５を谷折りにして側面２ｂ（右側面）を折り曲げ、同様に折目部２ｂ４と対向する側面２ｃ（左側面）の折目部（図示せず）を山折り、折目部２ｂ５と対向する側面２ｃ（左側面）の折目部（図示せず）を谷折りにして側面２ｃ（左側面）を折り曲げると、対向している側面２ｄ（前側面）及び側面２ｅ（後側面）の距離が収縮するので、箱体２の側面２ｂ（右側面）及び側面２ｃ（左側面）の幅は、折曲げない状態の略２分の１の幅にすることができる。なお、側面２ｄ（前側面）を収縮側面、側面２ｅ（後側面）を固定側面ともいう。また、側面２ｂ（右側面）の折目部２ｂ４を谷折りにして側面２ｂ（右側面）を折り曲げ、折目部２ｂ４と対向する側面２ｃ（左側面）の折目部（図示せず）を谷折りにして側面２ｃ（左側面）を折り曲げると、箱体２を完全に折り畳むことができる。
【００２１】
図１（ａ）に示すように、側面２ｄ（前側面）の外側には、ポケット２２と、吊り部２３ａが設けられており、吊り部２３には握り部２３ｃが設けられている。
【００２２】
図３の背面斜視図に示すように、側面２ｅ（後側面）の外側には、シートベルト挿通部２５と、吊り部２３ｂ（図示せず）が設けられている。
【００２３】
本実施の形態では、側面２ｄの（前側面）及び側面２ｅ（後側面）には、側面２ｂ（右側面）及び側面２ｃ（左側面）のように折目部及び折面を有していないが、側面２ｂ（右側面）及び側面２ｃ（左側面）と同じようにして折目部及び折面を有する構成としてもよい。
【００２４】
図１（ｂ）に示すように、箱体２の側面２ｂ（右側面）は、基材２ｂ１ａ、２ｂ２ａ、２ｂ３ａを外側の被覆部材２ｂ１０と内側の被覆部材２ｂ１１によって被覆し、基材２ｂ１ａ、２ｂ２ａ、２ｂ３ａと内側の被覆部材２ｂ１１との間には弾性材２ｂ１ｂ、２ｂ２ｂ、２ｂ３ｂが介装されており、ペットに対する衝撃を吸収することができる。なお、被覆部材は、織布、不織布、紙材、合成樹脂、合成繊維等の材料を適宜選択でき、基材は、所定の剛性を有するものであれば、合成樹脂、紙材、木材及び金属等の種々の素材を選択可能である。また、弾性材としてはウレタン樹脂等を適宜選択できる。
【００２５】
図１（ｂ）に示すように、基材２ｂ１ａ及び弾性材２ｂ１ｂと、基材２ｂ２ａ及び弾性材２ｂ２ｂとの間は、外側の被覆部材２ｂ１０及び内側の被覆部材２ｂ１１とが縫合されて折目部２ｂ４を形成し、基材２ｂ２ａ及び弾性材２ｂ２ｂと、基材２ｂ３ａ及び弾性材２ｂ３ｂとの間は、外側の被覆部材２ｂ１０及び内側の被覆部材２ｂ１１とが縫合されて折目部２ｂ５を形成している。側面２ｂ（右側面）と対向する側面２ｃ（左側面）も、側面２ｂ（右側面）と同様に構成されている。
【００２６】
本実施の形態では、箱体２の側面２ｄ（前側面）及び側面２ｅ（後側面）は折目部及び折面を有しないため、側面２ｂ（右側面）のように基材を分割して構成する必要はなく、一つの基材を外側の被覆部材と内側の被覆部材によって被覆し、前記基材と内側の被覆部材との間に弾性材が介装されている（図示せず）。なお、側面２ｄの（前側面）及び側面２ｅ（後側面）に、側面２ｂ（右側面）及び側面２ｃ（左側面）と同様にして折目部及び折面を有する構成とする場合は、側面２ｂ（右側面）のように基材を分割して構成し、外側の被覆部材及び内側の被覆部材とを縫合して折目部を形成するようにする（図示せず）。
【００２７】
底面２ａ（図示せず）、側面２ｂ（右側面）、側面２ｃ（左側面）、側面２ｄ（前側面）及び側面２ｅ（後側面）の各々隣接部には、補強縁部２６ａ、２６ｂ、２６ｃが設けられて縫製されている。
【００２８】
図１（ａ）に示すように、側面２ｂ（右側面）の二つ折部２ｂ１には第１の連結部材２１ａ１が設けられており、側面２ｂ（右側面）の四つ折面２ｂ３に隣接する側面２ｄ（前側面）には、第１の連結部材２１ａ１と連結可能な第２の連結部材２１ｂ１が設けられている。側面２ｃ（左側面）の二つ折部２ｃ１にも同様の第１の連結部材２１ａ１が設けられており、側面２ｃ（左側面）の四つ折面２ｃ３（図示せず）に隣接する側面２ｄ（前側面）には、第１の連結部材２１ａ１と連結可能な第２の連結部材２１ｂ１が設けられている。なお、本実施の形態では、第１の連結部材２１ａ１及び第２の連結部材２１ｂ１は、各々２対ずつ離間して設けているが、個数はこれに限られるものではない。
【００２９】
また、図４（ｂ）に示すように、底面２ａの中央部には第１の連結部材２１ａ２が設けられており、底面２ａに隣接する側面２ｄ（前側面）には、第１の連結部材２１ａ２と連結可能な第２の連結部材２１ｂ２が設けられている。なお、本実施の形態では、一対の第１の連結部材２１ａ２及び第２の連結部材２１ｂを設けているが、ペットの大きさに応じて箱体２の大きさが大きくなれば、二対以上で構成するようにしてもよい。
【００３０】
第１の連結部材２１ａ１、２１ａ２及び第２の連結部材２１ｂ１、２１ｂ２によって固定する方法は適宜設定可能であり、例えば、図４（ｂ）に示すように、第１の連結部材２１ａ１、２１ａ２の基端部近傍及び先端部にいわゆるマジックテープ（登録商標）を設け、第２の連結部材２１ｂ１、２１ｂ２を環状に構成するようにしてもよく、その他、第１の連結部材２１ａ１、２１ａ２の先端部及び第２の連結部材２１ｂ１、２１ｂ２にホックを設けて構成してもよく、これらに限定されるものではない。
【００３１】
図１（ａ）に示すように、側面２ｄ（前側面）の上部には、箱体２の内部を覆う天面３が設けられており、天面３は網目状の孔部３ａを有している。天面３の周部３ｂ及び箱体２の側面２ｂ、２ｃ、２ｅの上端部には、天面着脱部材３３が形成され、本実施の形態では天面着脱部材３３はファスナからなり、ファスナを閉じることによって箱体２の内部を天面３で閉塞することができるようになっている。図４（ａ）に示すように、天面３の長手方向の中央部近傍には、２つの第１の天面係合部材３１ａが離間して設けられており、側面２ｄ（前側面）の上縁部には天面係合部材３１ａと係合可能な２つの第２の天面係合部材３１ｂが離間して設けられている。第１の天面係合部材３１ａ及び第２の天面係合部材３１ｂによって係合する方法は適宜設定可能であり、例えば、図４（ａ）に示すように、第１の天面係合部材３１ａ及び第２の天面係合部材３１ｂにいわゆるマジックテープ（登録商標）を設けて構成するようにしてもよく、その他、第１の天面係合部材３１ａの先端部及び第２の天面係合部材３１ｂにホックを設けて構成してもよく、これらに限定されるものではない。
【００３２】
図３に示すように、箱体２には、ペットを箱体２内に係留する係留部材２４が設けられている。係留部材２４は、箱体２の内側に固定されている帯状部材２４ａと、帯状部材２４ａの先端に設けられてペットに対して連結される連結部材２４ｂと、帯状部材２４ａの長さを調節する調節部２４ｃとを有する。本実施の形態では、連結部材２４ｂは、ナスカンと称される開閉自在な環状の部材からなり、ペットの首輪等に設けられたリング部材（図示せず）に対して着脱自在であるが、これに限定されるものではない。
【００３３】
次に、箱体２に装着する中敷４について、図２を参照して説明する。図２に示すように、中敷４は略面状で構成されており、箱体２の底面２ａ（図示せず）の内法寸法と合致する中敷本体４１と、折返部４２ａ、４２ｂと、基材４３ａ、４３ｂとを有する。中敷本体は、中敷本体表面４１ａ及び中敷本体裏面４１ｂからなり、中敷本体表面４１ａ及び中敷本体裏面４１ｂの間には、弾性材（図示せず）が介装されている。なお、弾性材としてはウレタン樹脂等を適宜選択できる。
【００３４】
折返部４２ａ、４２ｂは、中敷本体裏面４１ｂの短手方向の側辺部に設けられている。図２（ｂ）に示すように、中敷本体４と折返部４２ａ、４２ｂとは、中敷本体４の長手方向に中央部を縫製して折曲部４６を形成し、また、中敷本体４の周縁部は補強縁部４４が設けられて縫製され、ポケット４２ａ１、４２ａ２、４２ｂ１、４２ｂ２が形成されている。図２（ｂ）に示すように、ポケット４２ａ１、４２ｂ１には基材４３ａ、ポケット４２ａ２、４２ｂ２には基材４３ｂが収容されており、図２（ａ）に示すように、中敷４を折曲部４６において折り曲げると、中敷４の短手方向の幅は、折り曲げない状態の略２分の１の幅にすることが可能である。なお、中敷本体４１及び折返部４２ａ、４２ｂは、織布、不織布、紙材、合成樹脂、合成繊維等の材料を適宜選択でき、基材４３ａ、４３ｂは、所定の剛性を有するものであれば、合成樹脂、紙材、木材及び金属等の種々の素材を選択可能である。
【００３５】
折返部４２ａ、４２ｂには、係合部材４５が形成されている。係合部材４５は、本実施の形態では、折返部４２ａ、４２ｂに設けられた舌片４５ａと、舌片４５ａの先端に設けられた第１の係合部４５ａ２と、折返部４２ａ、４２ｂに設けられて第１の係合部４５ａ２と係合可能な第２の係合部４５ｂによって構成され、中敷４の略四隅に配置して設けられている。係合部材４５によって、補助シート６０（吸水シート）を係合可能である。
【００３６】
箱体２の底面２ａ（図示せず）は略シート状であって平面強度を保てないため、中敷４は、箱体２の内部に装着して底面２ａの補強材としての機能するとともに、補助シート６０を内部に確実に設置するための部材として機能する。
【００３７】
次に、上記の構成からなるペット用ケース１の使用形態について、図１乃至図６を参照して説明する。図５は、本考案によるペット用ケースの側面の四つ折面を折り曲げて箱体の大きさを小さくしたペット用ケースと中敷の組み合せ状態を示す斜視図、図６は、本考案によるペット用ケースの側面の二つ折面を折り曲げて完全に折り畳まれたペット用ケースの斜視図である。
【００３８】
まず、本考案によるペット用ケース１を自動車等の車両の座席に固定して使用する工程について説明する。図１及び図３に示すように、ペット用ケース１の箱体２については、側面２ｂ（右側面）及び側面２ｃ（左側面）に形成されている折目部２ｂ４、２ｂ５（側面２ｃの折目部は図示せず）は折り曲げない状態であり、側面２ｂ（右側面）及び側面２ｃ（左側面）を完全に展開させる。この場合、第１の連結部材２１ａ０１、２１ｂ０１と第２の連結部材２１ａ０２、２１ｂ０２は連結が解除されている。
【００３９】
また、図１（ａ）に示すように、中敷４は、折曲部４６を折り曲げず展開させた状態で、中敷本体表面４１ａを上方向にして箱体２の開口部から嵌挿させ、底面２ａ（図示せず）に装着する。中敷本体表面４１ａを上方向にして装着することによって、中敷本体４１内に設けられた弾性材（図示せず）がペットに対する衝撃を吸収することができる。図２（ｂ）に示すように、吸水シートなどの補助シート６０を中敷本体表面４２ａに周回させて補助シート６０の端部を中敷本体裏面４２ｂ側に折り返し、補助シート６０の側辺部を係合部材４５によって中敷４に係合させることによって、補助シート６０を係合させたまま中敷４を箱体２に装着することができ、例えば、ペットがペット用ケース１の内部で排泄をした場合であっても、ペット用ケース１の内部の汚損を防止することができる。
【００４０】
図３に示すように、側面２ｂ（右側面）及び側面２ｃ（左側面）を完全に展開させたペット用ケース１を、自動車等の座席５０の座部５０ａに載置させ、図３の座席の背部側からみた背面斜視図に示すように、シートベルト５１の肩側ベルト５１ａ及び腰側ベルト５１ｂを、側面２ｅ（後側面）の外側に設けられたシートベルト挿通部２５に挿通して、固定金具５１ｃを所定のシートベルト固定部（図示せず）に固定する。シートベルト５１をシートベルト挿通部２５に挿通してペット用ケース１を固定すれば、座席５０上のペット用ケース１を密着固定することが可能であり、しかも座席５０が有するシートベルト５１を利用可能であることから、ペット用ケース１全体の低コスト化を達成することができる。
【００４１】
また、図３に示すように、係留部材２４をペットの首輪等（図示せず）と結合可能であるので、ペットがペット用ケース１から脱出することを防止することができ、さらに、係留部材２４の調節部２４ｃを調節することにより、ペットの大きさや該ペット用ケースの使用状況に対応した最適な長さを設定することが可能である。また、天面３を天面着脱部材３３（ファスナ）によって箱体２に係合させて箱体２の内部を閉塞することができるので、これによってもペットがペット用ケース１から脱出することを防止でき、しかも、天面３は網目状の孔部３ａを有しているので、天面３によって箱体２の内部を閉塞した場合であっても、箱体２の内部との通気性及び照度が確保でき、内部を観察可能である。なお、本実施の形態では、天面３は網目状の孔部３ａを有するがこれに限定されるものではなく、通気性及び照度が確保でき、内部を観察可能な部材を適宜選択可能である。
【００４２】
このようにして、ペット用ケース１を車両の座席５０に載置した場合、ペット用ケース１は略直方体形状であって、底面２ａも広いため、運転速度の変化やペット用ケース１内に収容したペットの動きによってもペット用ケースは揺動しにくく安定した固定状態を維持でき、ペットへの負担も軽減することができる。
【００４３】
次に、本考案によるペット用ケース１を車両の座席に固定する使用状態から持ち運び用の大きさに変更する工程について説明する。図３に示すように、ペット用ケース１が車両の座席５０に固定されている状態において、箱体２の底面２ａに装着されている中敷４を取り外して、底面２ａを折り畳み自在にする。
天面３を、天面着脱部材３３により、側面２ｂ（右側面）の四つ折面２ｂ２、２ｂ３及び側面２ｃ（左側面）の四つ折部２ｃ２、２ｃ３の上縁部と係合させる。
【００４４】
図４（ａ）に示すように、ペット用ケース１の箱体２について、側面２ｂ（右側面）の折目部２ｂ４を山折り、折目部２ｂ５を谷折りにして四つ折面２ｂ２、２ｂ３を箱体２の内側に折り曲げる。同様にして、折目部２ｂ４と対向する側面２ｃ（左側面）の折目部（図示せず）を山折り、折目部２ｂ５と対向する側面２ｃ（左側面）の折目部（図示せず）を谷折りにして四つ折面２ｃ２、２ｃ３を箱体２の内側に折り曲げる。このようにすると、側面２ｄ（収縮側面）が、これと対向している側面２ｅ（固定側面）側に向って移動し、側面２ｄ（収縮側面）と側面２ｅ（固定側面）との距離が収縮する。
【００４５】
次に、図４（ｂ）に示すように、第１の連結部材２１ａ１を第２の連結部材２１ｂ１に連結させることにより、側面２ｂ（右側面）の四つ折部２ｂ２、２ｂ３の折り曲げ状態、及び、側面２ｃ（左側面）の四つ折面２ｃ２、２ｃ３の折り曲げ状態を保持することができる。また、第１の連結部材２１ａ１を第２の連結部材２１ｂ２に連結させることにより、四つ折面２ｂ２、２ｂ３、２ｃ２、２ｃ３の折り曲げによって生じた底面２ａの撓みをなくして底面２ａの平面強度を向上させることができる。また、図４（ａ）に示すように、天面３に設けられた第１の天面係合部材３１ａを、側面２ｄ（前側面）の上縁部に設けられた第２の天面係合部材３１ｂと係合させることにより、四つ折面２ｂ２、２ｂ３、２ｃ２、２ｃ３の折り曲げによって生じた天面３の撓みをなくして、天面３と側面２ｅ（後側面）及び二つ折面２ｂ１、２ｃ１との着脱を容易にすることができる。
【００４６】
図４（ｂ）に示すように、ペット用ケース１の側面２ｂ、２ｃの四つ折面２ｂ２、２ｂ３、２ｃ２、２ｃ３を折り曲げると、底面２ａの短手方向の幅は、折曲げない状態の略２分の１の幅になるため、図５に示すように、中敷４を折曲部４６において中敷本体表面４１ａが外側になるようにして折り曲げ、中敷４の短手方向の幅を、折り曲げない状態の略２分の１の幅にしてから、四つ折面２ｂ２、２ｂ３、２ｃ２、２ｃ３を折り曲げた箱体２の開口部から嵌挿させ、底面２ａに装着する。また、図２（ｂ）に示すように、吸水シートなどの補助シート６０を中敷本体表面４２ａに周回させて補助シート６０の端部を中敷本体裏面４２ｂ側に折り返し、補助シート６０の側辺部を係合部材４５によって中敷４に係合させてから、中敷４を折曲部４６において中敷本体表面４１ａが外側になるようにして折り曲げ、補助シート６０を係合させたまま中敷４を箱体２に装着することができるので、例えば、ペットがペット用ケース１の内部で排泄をした場合であっても、ペット用ケース１の内部の汚損を防止することができる。また、中敷４を折曲部４６において中敷本体表面４１ａが外側になるようにして折り曲げ、箱体２に装着することによって、中敷本体４１内に設けられた弾性材（図示せず）がペットに対する衝撃を吸収することができる。
【００４７】
図３に示すように、シートベルト５１をシートベルト挿通部２５から解除すれば、座席５０上のペット用ケース１の固定状態を解除可能であり、吊り部２３ａ、２３ｂを肩に掛ける等してペット用ケース１の持ち運びをすることができる。
【００４８】
このように、ペット用ケース１の側面２ｂ、２ｃの四つ折面２ｂ２、２ｂ３、２ｃ２、２ｃ３を折り曲げると、側面２ｂ（右側面）及び側面２ｃ（左側面）の幅は折り曲げない状態の略２分の１の幅になり、また、底面２ａの短手方向の幅も折曲げない状態の略２分の１の幅になるため、ペット用ケース１の箱体２の大きさ（容量）が全体として略２分の１の大きさ（容量）となり、持ち運びの利便性を向上できる。さらに、図３に示すように、シートベルト挿通部２５は、座席５０の背部５０ｂに当接される側面２ｅ（後側面）側に設け、側面２ｅ（後側面）と対向する側面２ｄ（前側面）側に四つ折面２ｂ２、２ｂ３、２ｃ２、２ｃ３を設けているので、シートベルト５１をシートベルト挿通部２５に挿通して箱体２を座席５０に固定した状態において、箱体２の内部にペットを収容したまま前記ペットを側面２ｅ（後側面）に寄せて、側面２ｂ、２ｃの四つ折面２ｂ２、２ｂ３、２ｃ２、２ｃ３を折り曲げ、側面２ｄ（収縮側面）をこれと対向している側面２ｅ（固定側面）側に向って移動させて側面２ｂ、２ｃの折り曲げが可能となり、ペット用ケース１を車載用の大きさから持ち運び用の大きさに変更する場合の作業の容易化を向上させることができる。なお、以上のように持ち運び用の大きさに変更したペット用ケース１を、車両の座席に固定する使用状態の大きさに変更する工程は、ペット用ケース１を車両の座席に固定する使用状態から持ち運び用の大きさに変更する工程と反対の工程を辿ればよい。
【００４９】
次に、本考案によるペット用ケース１を完全に折り畳む工程について説明する。図１及び図６に示すように、ペット用ケース１の箱体２について、側面２ｂ（右側面）の折目部２ｂ５は折り曲げずに折目部２ｂ４を谷折りにして、二つ折面２ｂ１及び四つ折面２ｂ２、２ｂ３を箱体２の内側に折り曲げる。同様にして、折目部２ｂ５と対向する側面２ｃ（左側面）の折目部（図示せず）は折り曲げずに、折目部２ｂ４対向する側面２ｃ（左側面）の折目部（図示せず）を谷折りにして二つ折面２ｃ１及び四つ折面２ｃ２、２ｃ３を箱体２の内側に折り曲げる。このようにしてペット用ケース１の側面２ｂ（右側面）及び側面２ｃ（左側面）を折り畳むと、図６に示すように、箱体２は完全に折り畳まれた状態となる。この場合、中敷４を折曲部４６を展開させた状態で、完全に折り畳まれた箱体２内の側面２ｅ側に挿入すれば、箱体２と中敷４とを一体的に収納可能となる。したがって、ペット用ケース１を車内において使用せず収納しておく場合は、前記手順に従って完全に折り畳むことにより、収納場所の省スペース化を図ることができる。
【００５０】
【考案の効果】
以上説明したように、本考案のペット用ケースによれば、箱体の側面の折面を展開することにより、持ち運び用又は車載用のいずれの用途にも応じた大きさに変更することが可能であり、持ち運びをする場合は持ち運びの便宜上コンパクトな大きさにして使用し、車両の座席に載置する場合は運転速度やペットの動きによっても揺動しない安定した大きさにして使用することができる。
【００５１】
また、本考案のペットケースを座席に固定する固定部材を、固定側面側に設けたので、固定側面と対向する収縮側面を固定側面側に向って移動させて側面２ｂ、２ｃの折り曲げが可能となり、ペット用ケース１を車載用の大きさから持ち運び用の大きさに変更する場合の作業の容易化を向上させることができる。
【００５２】
また、本考案のペット用ケースによれば、中敷に折曲部を設けたので、箱体を持ち運び用又は車載用のいずれの大きさに変更した場合であっても、箱体の大きさに対応して中敷を折り曲げて装着することが可能である。
【００５３】
また、本考案のペット用ケースによれば、中敷に補助シートを係合するための係合部を設けたので、補助シートを中敷に係合させたまま箱体に装着でき、ペット用ケースの内部の汚損を防止できる。
【００５４】
また、本考案のペット用ケースによれば、天面が箱体の収縮側面と結合しているので、箱体を折り畳んだ状態又は展開した状態のいずれにおいても、天面の着脱が容易である。
【００５５】
【図面の簡単な説明】
【図１】（ａ）は、本考案によるペット用ケースの側面の総ての折面を展開して箱体の大きさを大きくしたペット用ケースと中敷の組み合せ状態を示す斜視図、（ｂ）は、本考案によるペット用ケースの右側面のＡ−Ａ断面図である。
【図２】（ａ）は、本考案によるペット用ケースに装着される中敷の折曲げ状態を示す斜視図、（ｂ）は、中敷に補助シートを固定する状態を示す斜視図である。
【図３】本考案によるペット用ケースを車両の座席に固定した状態を示す斜視図及び座席の背部側からみた背面斜視図である。
【図４】（ａ）は、本考案によるペット用ケース側面の四つ折面を折り曲げ又は展開してペット用ケースの大きさを変更する操作手順を示す斜視図、（ｂ）は、第１の連結部材と第２の連結部材の連結状態を示す斜視図である。
【図５】本考案によるペット用ケースの側面の四つ折面を折り曲げて箱体の大きさを小さくしたペット用ケースと中敷の組み合せ状態を示す斜視図である。
【図６】本考案によるペット用ケースの側面の二つ折面を折り曲げて完全に折り畳まれたペット用ケースの斜視図である。
【符号の説明】
１　　　　　　　　　ペット用ケース
２　　　　　　　　　箱体
２ａ　　　　　　　　底面
２ｂ　　　　　　　　側面（右側面）
２ｂ１　　　　　　　二つ折面（折面）
２ｂ１ａ　　　　　　基材
２ｂ１ｂ　　　　　　弾性材
２ｂ２　　　　　　　四つ折面（折面）
２ｂ２ａ　　　　　　基材
２ｂ２ｂ　　　　　　弾性材
２ｂ３　　　　　　　四つ折面（折面）
２ｂ３ａ　　　　　　基材
２ｂ３ｂ　　　　　　弾性材
２ｂ４　　　　　　　折目部
２ｂ５　　　　　　　折目部
２ｂ１０　　　　　　被膜部材
２ｂ１１　　　　　　被膜部材
２ｃ　　　　　　　　側面（左側面）
２ｃ１　　　　　　　二つ折面
２ｃ２　　　　　　　四つ折面
２ｃ３　　　　　　　四つ折面
２ｄ　　　　　　　　側面（前側面、収縮側面）
２ｅ　　　　　　　　側面（後側面、固定側面）
３　　　　　　　　　天面
３ａ　　　　　　　　孔部
３ｂ　　　　　　　　縁部
４　　　　　　　　　中敷
２１ａ１　　　　　　第１の連結部材（保持部材）
２１ａ２　　　　　　第２の連結部材（保持部材）
２１ｂ１　　　　　　第１の連結部材（保持部材）
２１ｂ２　　　　　　第２の連結部材（保持部材）
２２　　　　　　　　ポケット
２３ａ，２３ｂ　　　吊り部
２３ｃ　　　　　　　握り部
２４　　　　　　　　係留部材
２４ａ　　　　　　　帯状部材
２４ｂ　　　　　　　連結部材
２４ｃ　　　　　　　調節部
２５　　　　　　　　シートベルト挿通部（固定手段）
２６ａ　　　　　　　補強縁部
２６ｂ　　　　　　　補強縁部
２６ｃ　　　　　　　補強縁部
３１ａ　　　　　　　第１の天面係合部材
３１ｂ　　　　　　　第２の天面係合部材
３３　　　　　　　　天面着脱部材（ファスナ）
４１　　　　　　　　中敷本体
４１ａ　　　　　　　中敷本体表面
４１ｂ　　　　　　　中敷本体裏面
４２ａ　　　　　　　折返部
４２ａ１、４２ａ２　ポケット
４２ｂ　　　　　　　折返部
４２ｂ１、４２ｂ２　ポケット
４３ａ、４３ｂ　　　基材
４４　　　　　　　　補強縁部
４５　　　　　　　　係合部材
４５ａ　　　　　　　第１の係合部
４５ａ１　　　　　　舌片
４５ｂ　　　　　　　係合部
４５ｃ　　　　　　　第２の係合部
４６　　　　　　　　折曲部（縫合部）
５０　　　　　　　　座席
５０ａ　　　　　　　座部
５０ｂ　　　　　　　背部
５０ｃ　　　　　　　頭部
５１　　　　　　　　シートベルト
５１ａ　　　　　　　肩側ベルト
５１ｂ　　　　　　　腰側ベルト
５１ｃ　　　　　　　固定金具
６０　　　　　　　　補助シート（吸水シート）
【図１】
0003098035.tif 000003
【図２】
0003098035.tif 000004
【図３】
0003098035.tif 000005
【図４】
0003098035.tif 000006
【図５】
0003098035.tif 000007
【図６】
0003098035.tif 000008